(57)【要約】【課題】  小型で組み付けの容易な燃料供給装置を提供する。【解決手段】  燃料供給装置１０は燃料タンク１の底壁に取り付けられている。蓋部材１２は燃料タンク１の開口部１ａを塞いでいる。燃料ポンプ３０は、吐出口３２およびポンプコネクタ３４を下側に向けて蓋部材１２の円筒部２６内に入り込んでおり、吐出口３２およびポンプコネクタ３４を含む燃料ポンプ３０の一部は、燃料タンク１に燃料供給装置１０を取り付けた状態で、燃料タンク１の底壁よりも下方側に位置している。吐出口３２は、蓋部材１２の燃料通路部１８と嵌合している。蓋部材１２の電気コネクタ２０の端子２２とポンプコネクタ３４とは電気的に直接接続している。Ｏリング６２は、燃料ポンプ３０と蓋部材１２、ならびに燃料ポンプ３０とサクションフィルタのブラケット４４との間をシールしている。【選択図】      図１
2006177308.tif 000002
【特許請求の範囲】
【請求項１】
燃料タンクの底壁に取り付けられ、前記燃料タンク内の燃料を前記燃料タンク外に供給する燃料供給装置であって、
前記燃料タンクの底壁に形成された開口部を塞ぐ蓋部材と、
前記蓋部材に支持されて前記開口部から前記燃料タンク内に設置される燃料ポンプとを備え、
前記燃料タンクに前記燃料供給装置を取り付けた状態において、前記燃料ポンプの吐出口およびポンプコネクタは前記燃料ポンプの下方側に設けられていることを特徴とする燃料供給装置。
【請求項２】
前記燃料ポンプは前記蓋部材に設けた嵌合部に入り込んでおり、前記燃料タンクに前記燃料供給装置を取り付けた状態において、前記燃料ポンプの少なくとも一部は、前記燃料タンクの前記底壁よりも下方側に位置していることを特徴とする請求項１記載の燃料供給装置。
【請求項３】
前記吐出口は、前記蓋部材に直接接続していることを特徴とする請求項１または２記載の燃料供給装置。
【請求項４】
前記燃料ポンプのポンプコネクタと前記蓋部材の電気コネクタとは直接接続していることを特徴とする請求項１から３のいずれか一項記載の燃料供給装置。
【請求項５】
前記燃料ポンプと前記蓋部材との間をシールするシール部材を備えることを特徴とする請求項１から４のいずれか一項記載の燃料供給装置。
【請求項６】
前記燃料ポンプが吸入する燃料中の異物を除去するサクションフィルタを備え、
前記シール部材は、前記サクションフィルタから前記燃料ポンプの吸入口に燃料が流入する燃料通路と前記燃料ポンプの外周側壁との間をシールすることを特徴とする請求項５記載の燃料供給装置。
【発明の詳細な説明】
【技術分野】
【０００１】
本発明は、燃料タンクの底壁に取り付けられ、燃料タンク内に燃料ポンプを設置する燃料供給装置に関する。
【背景技術】
【０００２】
従来、燃料タンクの底壁に形成された開口部から燃料ポンプを燃料タンク内に設置し、燃料タンクの開口部を蓋部材で塞ぐ燃料供給装置が知られている（例えば、特許文献１の図１（Ａ）参照）。
【０００３】
【特許文献１】特開２００３−３５２３２号公報
【発明の開示】
【発明が解決しようとする課題】
【０００４】
しかしながら特許文献１では、燃料タンクの底壁に燃料供給装置を取り付けた状態において、燃料タンク内に設置された燃料ポンプの吐出口は燃料ポンプの上方側に設けられている。
このような燃料ポンプの搭載構造では、燃料ポンプの吐出口と燃料ポンプの下方側に位置する蓋部材とが離れるので、燃料ポンプの吐出口から吐出された燃料を蓋部材を通って燃料タンクの外部に供給するために、燃料ポンプの上方側に設けられている吐出口と燃料タンクの底壁側、つまり燃料ポンプの下方側に位置する蓋部材の燃料通路部とを接続する燃料配管が必要になり、かつ燃料配管の長さが長くなる。また、燃料ポンプの吐出口と同じ燃料ポンプの上方側に設けられているポンプコネクタと蓋部材に設けた電気コネクタとを電気的に接続するためにワイヤハーネスが必要になり、かつワイヤハーネスの長さが長くなる。その結果、燃料供給装置の体格が大きくなるとともに、燃料配管およびワイヤハーネスを用いた蓋部材と燃料ポンプとの組み付けは煩雑である。
【０００５】
本発明は上記問題を解決するためになされたものであり、小型で組み付けの容易な燃料供給装置を提供することを目的とする。
【課題を解決するための手段】
【０００６】
請求項１から６記載の発明では、燃料タンクの底壁に取り付けられる燃料供給装置の燃料ポンプを燃料タンク内に設置した状態において、燃料ポンプの吐出口およびポンプコネクタは燃料ポンプの下方側に設けられている。これにより燃料ポンプの吐出口およびポンプコネクタと蓋部材との距離が近づく。
したがって、燃料ポンプの吐出口と蓋部材の燃料通路部とを接続する燃料配管が必要になる場合でも、燃料配管の長さが短くなるので、燃料ポンプの吐出口と蓋部材の燃料通路部との接続が容易である。
【０００７】
また、燃料ポンプのポンプコネクタと蓋部材の電気コネクタとを電気的に接続するワイヤハーネスが必要になる場合でも、ワイヤハーネスの長さが短くなるので、燃料ポンプのポンプコネクタと蓋部材の電気コネクタとの接続が容易である。
このように、燃料配管およびワイヤハーネスが必要となる場合でも、その長さが短くなるので、燃料供給装置を小型化できる。
【０００８】
請求項２記載の発明では、燃料タンクに燃料供給装置を取り付けた状態において、燃料ポンプの少なくとも一部は、燃料タンクの底壁よりも下方側に位置しているので、燃料ポンプの吸入口と燃料タンクの内側底面との高さの差が小さくなる。
その結果、燃料ポンプは、燃料タンクの底付近の燃料を小さな吸入力で吸入できる。また、燃料ポンプが燃料タンク内に突出する容積が減少するので、実際に燃料タンク内に燃料を入れることのできる燃料タンクの有効容積が増加する。また、例えば燃料ポンプの吸入口と接続し燃料ポンプが吸入する燃料中の異物を除去するサクションフィルタを設置する場合に、燃料タンクの底にサクションフィルタを容易に設置できる。
【０００９】
請求項３記載の発明では、燃料ポンプの吐出口は蓋部材に直接接続しているので、燃料ポンプの吐出口と蓋部材の燃料通路部とを接続する燃料配管が不要である。したがって、燃料ポンプの吐出口と蓋部材の燃料通路部との接続が容易であり、かつ燃料供給装置を小型化できる。
請求項４記載の発明では、燃料ポンプのポンプコネクタと蓋部材の電気コネクタとは電気的に直接接続しているので、燃料ポンプのポンプコネクタと蓋部材の電気コネクタとを接続するワイヤハーネスが不要である。したがって、燃料ポンプのポンプコネクタと蓋部材の電気コネクタとの接続が容易であり、かつ燃料供給装置を小型化できる。
【００１０】
ところで、燃料中には微量ではあるが水分が含まれており、水分は燃料よりも比重が大きいので、水分が燃料と分離して燃料タンクの底に溜まることがある。この燃料タンクの底に溜まった水が燃料ポンプのポンプコネクタ側に侵入すると、ポンプコネクタの端子等が腐食する恐れがある。
そこで、請求項５記載の発明では、燃料ポンプと蓋部材との間をシール部材がシールするので、燃料ポンプのポンプコネクタ側に水が侵入することを防止できる。
【００１１】
請求項６記載の発明では、燃料ポンプと蓋部材との間をシールするシール部材が、サクションフィルタから燃料ポンプの吸入口に燃料が流入する燃料通路と燃料ポンプの外周側壁との間をシールする。これにより、サクションフィルタを通過せずに燃料ポンプの外周側壁に沿って燃料ポンプの吸入口に燃料が直接吸入されることを防止できる。また、シール部材の部品点数が減少する。
【発明を実施するための最良の形態】
【００１２】
以下、本発明の複数の実施形態を図に基づいて説明する。
（第１実施形態）
本発明の第１実施形態による燃料供給装置を燃料タンクの底壁に取り付けた状態を図４に示す。燃料タンク１は、自動二輪車用の燃料タンクであり、自動二輪車のフレーム２を跨いで鞍型に形成されている。図１から図３に示すように、燃料供給装置１０は、蓋部材１２、燃料ポンプ３０、サクションフィルタ４０、およびセンダゲージ５０等からなる。
【００１３】
蓋部材１２は樹脂製であり、燃料タンク１に形成された開口部１ａを塞いでいる。蓋部材１２には、フランジ１４、燃料吐出管１６、燃料通路部１８、電気コネクタ２０、円筒部２６が設けられている。フランジ１４は、嵌合部としての有底筒状の円筒部２６の外周面から径方向外側に環状に突出しており、燃料タンク１の底壁に当接している。燃料吐出管１６は、燃料ポンプ３０が吐出する燃料を燃料通路部１８から燃料タンク１の外側に導出する。電気コネクタ２０には、端子２２、２４が埋設されている。端子２２、２４は、円筒部２６の内側および外側にそれぞれ露出している。端子２２は、燃料ポンプ３０側と電気的に接続する端子であり、端子２４は、センダゲージ５０側と電気的に接続する端子である。円筒部２６は、フランジ１４の燃料タンク内側および燃料タンク外側に跨って形成されている。この円筒部２６の外周の範囲内に、燃料通路部１８および電気コネクタ２０は設けられている。
【００１４】
燃料ポンプ３０は、吐出口３２およびポンプコネクタ３４を下側に向けて蓋部材１２の円筒部２６内に入り込んでいる。そして、吐出口３２およびポンプコネクタ３４を含む燃料ポンプ３０の一部は、燃料タンク１に燃料供給装置１０を取り付けた図１に示す状態で、燃料タンク１の底壁よりも下方側に位置している。吐出口３２は、蓋部材１２の燃料通路部１８と嵌合している。ポンプコネクタ３４は、ポンプ端子が直接露出したものである。蓋部材１２の電気コネクタ２０の端子２２とポンプ端子であるポンプコネクタ３４とは電気的に直接接続している。燃料ポンプ３０の図示しない吸入口は、図１に示す状態で燃料ポンプ３０の上方側に設けられている。
【００１５】
蓋部材１２の燃料通路部１８と燃料ポンプ３０の吐出口３２、ならびに蓋部材１２の電気コネクタ２０と燃料ポンプ３０のポンプコネクタ３４とは、蓋部材１２の円筒部２６に燃料ポンプ３０を嵌合するときに同じ軸線上にあるので、蓋部材１２に燃料ポンプ３０を組み付ける方向で電気的に接続する。
サクションフィルタ４０は、フィルタ本体４２と樹脂製のブラケット４４とを熱溶着して構成されている。ブラケット４４はカップ状に形成されており、燃料ポンプ３０の上部に嵌合している。ブラケット４４の開口側先端は蓋部材１２の円筒部２６の内周側に入り込んでいる。ブラケット４４は、円筒部２６の爪２７とスナップフィットにより結合している。
【００１６】
センダゲージ５０は、アーム５２によりフロート５４と接続しており、燃料タンク１内の燃料残量に応じて上下するフロート５４の位置を燃料残量信号として出力する。センダゲージ５０はワイヤハーネス５６により、蓋部材１２の端子２４と電気的に接続されている。
Ｏリング６０は、燃料通路部１８と吐出口３２との間をシールしている。また、シール部材としてのＯリング６２は、蓋部材１２の円筒部２６の内周側壁、燃料ポンプ３０の外周側壁３６、およびブラケット４４の開口側先端に当接することにより、蓋部材１２の円筒部２６の内周側壁と燃料ポンプ３０の外周側壁３６との間をシールするとともに、ブラケット４４と燃料ポンプ３０の外周側壁３６との間をシールしている。
【００１７】
第１実施形態では、燃料タンク１の底壁に燃料供給装置１０を取り付けた状態で燃料ポンプ３０の吐出口３２およびポンプコネクタ３４が燃料ポンプ３０の下方側に設けられ、燃料ポンプ３０の吐出口３２が蓋部材１２の燃料通路部１８に直接嵌合している。この構成により、吐出口３２から燃料通路部１８、燃料吐出管１６を通り燃料タンクの外部に燃料が供給されるので、燃料ポンプ３０の吐出口３２と蓋部材１２の燃料通路部１８とを接続する燃料配管が不要である。
【００１８】
また、蓋部材１２の電気コネクタ２０の端子２２と燃料ポンプ３０のポンプコネクタ３４とが電気的に直接接続しているので、蓋部材１２の電気コネクタ２０と燃料ポンプ３０のポンプコネクタ３４とを電気的に接続するワイヤハーネスが不要である。
このように、蓋部材１２と燃料ポンプ３０との間を接続するための燃料配管およびワイヤハーネスを省略した結果、蓋部材１２と燃料ポンプ３０とを容易に組み付けることができる。また、燃料供給装置１０を小型化できる。
【００１９】
また第１実施形態では、燃料ポンプ３０の一部が蓋部材１２の円筒部２６内に入り込み、燃料タンク１の底壁に燃料供給装置１０を取り付けた状態で、燃料ポンプ３０の一部が燃料タンク１の底壁よりも下方側に位置することにより、燃料ポンプ３０の吸入口と燃料タンク１の内側底面との距離が近くなる。これにより、小さな吸入力で燃料タンク１の底付近の燃料を吸入できる。
【００２０】
また、燃料タンク１内に突出する燃料ポンプ３０の容積が減少するので、実際に燃料タンク１内に燃料を入れることのできる有効容積が増加する。
また第１実施形態では、Ｏリング６２が蓋部材１２の円筒部２６の内周側壁と燃料ポンプ３０の外周側壁３６との間をシールするので、燃料タンク１の底に溜まった燃料中の水分がポンプコネクタ３４側に侵入することを防止し、ポンプ端子であるポンプコネクタ３４が腐食することを防止できる。
【００２１】
また、Ｏリング６２がブラケット４４と燃料ポンプ３０の外周側壁３６との間をシールするので、サクションフィルタ４０から燃料ポンプ３０の吸入口に燃料が流れる燃料通路と燃料ポンプ３０の外周側壁３６との間がシールされる。これにより、サクションフィルタ４０を通らずに燃料ポンプ３０に燃料が直接吸入されることを防止できる。
また、このようにＯリング６２が２箇所のシールを兼ねているので、Ｏリングの部品点数が減少する。
【００２２】
（第２実施形態）
本発明の第２実施形態を図５および図６に示す。尚、第１実施形態と実質的に同一構成部分には同一符号を付す。
燃料供給装置７０の蓋部材７２は、燃料タンク１の開口部１ａを塞いでいる。燃料ポンプ３０の吐出口３２は蓋部材７２の燃料通路部７４に直接嵌合している。燃料ポンプ３０が吐出する燃料は、吐出口３２から燃料通路部７４、燃料吐出管７６を通り、燃料タンク１の外側に供給される。燃料ポンプ３０は、蓋部材７２の有底筒状の円筒部８０内に入り込んで嵌合しているが、燃料タンク１の底壁に燃料供給装置７０を取り付けた状態で、燃料ポンプ３０は燃料タンク１の底壁よりも上方に位置している。
【００２３】
第２実施形態においても、燃料タンク１の底壁に燃料供給装置７０を取り付けた状態で燃料ポンプ３０の吐出口３２およびポンプコネクタ３４が燃料ポンプ３０の下方側に設けられ、燃料ポンプ３０の吐出口３２が蓋部材７２の燃料通路部７４に直接嵌合しているので、燃料ポンプ３０の吐出口３２と蓋部材７２の燃料通路部７４とを接続する燃料配管が不要である。
また、燃料ポンプ３０のポンプコネクタ３４と蓋部材７２の電気コネクタ２０の端子２２とが電気的に直接接続しているので、燃料ポンプ３０のポンプコネクタ３４と蓋部材７２の電気コネクタ２０とを電気的に接続するワイヤハーネスが不要である。
【００２４】
（第３実施形態）
本発明の第３実施形態を図７に示す。尚、第１実施形態と実質的に同一構成部分には同一符号を付す。
燃料供給装置９０の蓋部材９２は、燃料タンク１の開口部１ａを塞いでいる。燃料ポンプ３０の吐出口３２は蓋部材９２の燃料通路部９４に直接嵌合している。燃料ポンプ３０が吐出する燃料は、吐出口３２から燃料通路部９４、燃料吐出管９６を通り、燃料タンク１の外側に供給される。燃料ポンプ３０は、蓋部材９２の有底筒状の円筒部９８内に入り込んで嵌合しているが、燃料タンク１に燃料供給装置９０を取り付けた状態で、燃料ポンプ３０は燃料タンク１の底壁よりも上方に位置している。
【００２５】
蓋部材９２の電気コネクタ１００は円筒部９８の外周の外側に設置されているので、蓋部材９２の円筒部９８に燃料ポンプ３０を嵌合するとき、ポンプコネクタ３４と電気コネクタ１００とは電気的に直接接続しない。それ故、電気コネクタ１００に埋設された端子１０２、１０４は、それぞれワイヤハーネス１１０により、ポンプ端子であるポンプコネクタ３４、センダゲージ端子５１と電気的に接続されている。
【００２６】
第３実施形態においても、燃料タンク１の底壁に燃料供給装置９０を取り付けた状態で燃料ポンプ３０の吐出口３２およびポンプコネクタ３４が燃料ポンプ３０の下方側に設けられ、燃料ポンプ３０の吐出口３２が蓋部材９２の燃料通路部９４と直接嵌合しているので、燃料ポンプ３０の吐出口３２と蓋部材９２の燃料通路部９４とを接続する燃料配管が不要である。
【００２７】
また、燃料ポンプ３０のポンプコネクタ３４と蓋部材９２の電気コネクタ１００との距離が近くなる。したがって、燃料ポンプ３０のポンプコネクタ３４と蓋部材９２の電気コネクタ１００とはワイヤハーネス１１０により電気的に接続されているが、ワイヤハーネス１１０の長さが短くなっている。
【００２８】
（他の実施形態）
上記複数の実施形態では、燃料ポンプ３０の吐出口３２と蓋部材の燃料通路部とを直接接続したが、燃料タンクに燃料供給装置を取り付けた状態で、燃料ポンプの下方側に燃料ポンプの吐出口およびポンプコネクタが設けられているのであれば、燃料ポンプの吐出口と蓋部材の燃料通路部とを燃料配管で接続してもよい。この場合にも、燃料ポンプの吐出口と蓋部材の燃料通路部との距離が近くなり燃料配管が短くなるので、燃料ポンプの吐出口と蓋部材の燃料通路部との接続が容易である。また、燃料配管が短いので、燃料供給装置を小型化できる。
【図面の簡単な説明】
【００２９】
【図１】本発明の第１実施形態による燃料供給装置を示す断面図である。
【図２】図１のII方向矢視図である。
【図３】（Ａ）は図２のＡ方向矢視図であり、（Ｂ）は図２のＢ方向矢視図である。
【図４】燃料供給装置を燃料タンクに取り付けた状態を示す説明図である。
【図５】本発明の第２実施形態による燃料供給装置を示す断面図である。
【図６】図５のVI方向矢視図である。
【図７】本発明の第３実施形態による燃料供給装置を示す断面図である。
【符号の説明】
【００３０】
１  燃料タンク、１ａ  開口部、１０、７０、９０  燃料供給装置、１２、７２、９２  蓋部材、１８、７４、９４  燃料通路部、２０、１００  電気コネクタ、２２、２４、１０２、１０４  端子、２６  円筒部（嵌合部）、３０  燃料ポンプ、３４  ポンプコネクタ（ポンプ端子）、３６  外周側壁、４０  サクションフィルタ、４２  フィルタ本体、４４  ブラケット、６２  Ｏリング（シール部材）、１１０  ワイヤハーネス
【図１】
2006177308.tif 000003
【図２】
2006177308.tif 000004
【図３】
2006177308.tif 000005
【図４】
2006177308.tif 000006
【図５】
2006177308.tif 000007
【図６】
2006177308.tif 000008
【図７】
2006177308.tif 000009